(57)【要約】      （修正有）【課題】フィルムの傷及び帯電の発生を抑制することができるフィルムのしわ伸ばし装置を提供する。【解決手段】搬送中のフィルムの上側又は下側から空気を吸引するフィルムのしわ伸ばし装置１であって、略円柱状のローター２を備え、ローターの略円形面がフィルム幅方向と略垂直であり、ローターが、ローター支持体３を軸として回転し、ローターの略円形面以外の面に、複数の空気吸引孔２ａが軸を中心とする放射状に形成され、空気吸引孔が、フィルム幅方向の端部側に位置するほど、その容積が小さくなることを特徴とする、フィルムのしわ伸ばし装置。【選択図】図２
2016185840.tif 000002
【特許請求の範囲】
【請求項１】
搬送中のフィルムの上側又は下側から空気を吸引するフィルムのしわ伸ばし装置であって、
略円柱状のローターを備え、
前記ローターの略円形面がフィルム幅方向と略垂直であり、
前記ローターが、ローター支持体を軸として回転し、
前記ローターの前記略円形面以外の面に、複数の空気吸引孔が軸を中心とする放射状に形成され、
前記空気吸引孔が、フィルム幅方向の端部側に位置するほど、その容積が小さくなることを特徴とする、フィルムのしわ伸ばし装置。
【請求項２】
前記ローターの端部にＲ面があり、前記Ｒ面の曲率であるＲ値が、前記ローターの略円形面の直径の１／２０以上であることを特徴とする、請求項１に記載のフィルムのしわ伸ばし装置。
【請求項３】
請求項１又は２のいずれかに記載のフィルムのしわ伸ばし装置を用いることを特徴とする、フィルムの製造方法。
【発明の詳細な説明】
【技術分野】
【０００１】
本発明は、フィルムの傷や帯電の発生を抑制することができるフィルムのしわ伸ばし装置に関する。
【背景技術】
【０００２】
フィルムの製造工程におけるしわの発生を防止するために、フィルムのしわ伸ばし装置が用いられている。従来のフィルムのしわ伸ばし装置は、特許文献１や特許文献２に示すようなものが知られている。特許文献１のフィルムのしわ伸ばし装置は、フィルムを空気吸引口から負圧により吸引しつつ、複数のローラーをフィルムに接触させることにより、フィルムに引張力を作用させてしわを引き伸ばすものである。また、特許文献２のフィルムのしわ伸ばし装置は、フィルムの両端部に配置された３本のローラーからなるクロスガイダーにより、フィルムを挟み込み、フィルムに引張力を作用させてしわを伸ばすものである。
【先行技術文献】
【特許文献】
【０００３】
【特許文献１】特開２００８−８１２７４号公報
【特許文献２】特開２００９−２３４７１３号公報
【発明の概要】
【発明が解決しようとする課題】
【０００４】
しかしながら、特許文献１や特許文献２に記載の方法では、フィルムのしわを伸ばす際に、フィルムがフレームなどの構造体やローラーに過度に接触するため、フィルムの傷及び帯電の発生や、フィルムの裏面に塗液を塗布するなどの加工を施す場合に使用できないことなどが問題であった。本発明は、係る従来技術の欠点を改良し、フィルムの傷及び帯電の発生を抑制することができるフィルムのしわ伸ばし装置を提供することにある。
【課題を解決するための手段】
【０００５】
上記課題を解決するために、本発明は、以下構成からなる。
（１）  搬送中のフィルムの上側又は下側から空気を吸引するフィルムのしわ伸ばし装置であって、略円柱状のローターを備え、前記ローターの略円形面がフィルム幅方向と略垂直であり、前記ローターが、ローター支持体を軸として回転し、前記ローターの前記略円形面以外の面に、複数の空気吸引孔が軸を中心とする放射状に形成され、前記空気吸引孔が、フィルム幅方向の端部側に位置するほど、その容積が小さくなることを特徴とする、フィルムのしわ伸ばし装置。
（２）  前記ローターの端部にＲ面があり、前記Ｒ面の曲率であるＲ値が、前記ローターの略円形面の直径の１／２０以上であることを特徴とする、請求項１に記載のフィルムのしわ伸ばし装置。
（３）  請求項１又は２のいずれかに記載のフィルムのしわ伸ばし装置を用いることを特徴とする、フィルムの製造方法。
【発明の効果】
【０００６】
本発明により、フィルムの傷や帯電の発生を抑制することができるフィルムのしわ伸ばし装置を提供することができる。本発明のフィルムのしわ伸ばし装置は、フィルムの裏面に塗液を塗布する工程がある場合でもしわ伸ばし処理を行うことができる。
【図面の簡単な説明】
【０００７】
【図１】本発明のフィルムのしわ伸ばし装置をフィルム幅方向両端に配置した一例を示す平面図
【図２】本発明のフィルムのしわ伸ばし装置の一例を説明するための図１におけるＩ−Ｉ断面矢視図
【図３】本発明のフィルムのしわ伸ばし装置の一例を説明するための図１におけるＩＩ−ＩＩ断面矢視図
【図４】ローター支持体の一例の上面から見た図
【図５】ローター支持体の一例の側面から見た図
【図６】ローター支持体の一例の底面から見た図
【発明を実施するための形態】
【０００８】
本発明のフィルムのしわ伸ばし装置は、搬送中のフィルムの上側又は下側から空気を吸引するフィルムのしわ伸ばし装置であって、略円柱状のローターを備え、前記ローターの略円形面がフィルム幅方向と略垂直であり、前記ローターが、ローター支持体を軸として回転し、前記ローターの前記略円形面以外の面に、複数の空気吸引孔が軸を中心とする放射状に形成され、前記空気吸引孔が、フィルム幅方向の端部側に位置するほど、その容積が小さくなることが重要である。
【０００９】
以下に、本発明を実施するための望ましい形態について説明するが、本発明はこれに限定されるものではない。
【００１０】
本発明のフィルムのしわ伸ばし装置は、搬送工程中におけるフィルムのたわみを抑制する観点から、搬送中のフィルムの上側又は下側から空気を吸引することが重要である。フィルムの重力によるたわみを適度に補正することを考慮すると、搬送中のフィルムの下側から空気を吸引することが好ましい。
【００１１】
本発明のフィルムのしわ伸ばし装置は、装置とフィルムの接触による負荷を小さくする観点から、略円柱状のローターを備え、前記ローターの略円形面がフィルム幅方向と略垂直であり、前記ローターが、ローター支持体を軸として回転することが重要である。
【００１２】
ここで、略円柱とは円柱、楕円柱、円錐台、及び楕円錘台を指し、略円形面とは円形面又は楕円形面を指す。円柱、楕円柱、円錐台、及び楕円錘台には、略円形面と他の形状の面が接する部分に丸みを持たせたものも含むものとする。フィルム幅方向とは、フィルムの搬送面に平行であり、フィルム製造時にフィルムが進行する方向（フィルム長手方向）と直交する方向をいう。ローターの略円形面がフィルム幅方向と略垂直であるとは、ローターの略円形面とフィルム幅方向によって形成される角度が８５°以上９５°以下であることをいう。また、ローター支持体を軸として回転するとは、固定されたローター支持体の軸部分を中心として、ローターが回転することをいう。
【００１３】
略円柱状のローターを備え、ローターの略円形面がフィルム幅方向と略垂直であることにより、しわ伸ばし装置とフィルムが接する面積が小さくなる。また、ローターの略円形面がフィルム幅方向と略垂直であり、ローターが、略円形面に備え付けられたローター支持体を軸として回転することにより、装置とフィルムの摩擦を抑えることができる。
【００１４】
ローターの形状は、本発明の効果を損なわない限り特に制限されないが、ローターの回転により搬送中のフィルムが上下動するのを抑制する観点から、真円柱状であることが好ましい。
【００１５】
本発明のフィルムのしわ伸ばし装置は、ローターが回転しても空気吸引量を一定に保つ観点から、前記ローターの前記略円形面以外の面に、複数の空気吸引孔が軸を中心とする放射状に形成されていることが好ましい。ここで、略円形面以外の面に、複数の空気吸引孔が軸を中心とする放射状に形成されているとは、軸から外側に向かって垂線を引いたときに、その垂線がローターや空気吸引孔の壁面に触れることなく空気吸引孔を通過することができるように、略円形面以外の面に複数の空気吸引孔が形成されていることをいう。
【００１６】
本発明のフィルムのしわ伸ばし装置は、フィルム幅方向端部側の帯電を抑制する観点から、空気吸引孔が、フィルム幅方向の端部側に位置するほど、その容積が小さくなることが重要である。フィルム幅方向の端部側に位置するほど、空気吸引孔の容積が小さくなることにより、フィルム幅方向中央部側に比べてフィルム幅方向端部側の吸引圧が低くなり、その結果、フィルム幅方向端部側の帯電を抑制することができる。
【００１７】
フィルム幅方向の端部側に位置する空気吸引孔ほど、その容積を小さくする方法は、本発明の効果を損なわない限り特に限定されない。その具体例としては、外形が円柱形であり、肉厚がフィルム幅方向中央側に行くほど大きいローターを使用する方法や、外形がフィルム幅方向端部側の円形面の直径よりもフィルム幅方向中央部側の円形面の直径が大きい円錐台形であり、内空の直径が一定であるローターを使用する方法が挙げられる。
【００１８】
例えば、外形が円柱形であり、肉厚がフィルム幅方向中央側に行くほど大きいローターを使用する場合は、空気吸引孔の孔径を一定にして、ローターの肉厚の差を大きくすることにより、フィルム幅方向の端部側と中央部側の空気吸引孔の容積の差を大きくすることができる。
【００１９】
また、外形がフィルム幅方向端部側の円形面の直径よりもフィルム幅方向中央部側の円形面の直径が大きい円錐台形であり、内空の直径が一定であるローターを使用する場合は、空気吸引孔の孔径を一定にして、ローターの円形面の直径の差を大きくすることにより、フィルム幅方向の端部側と中央部側の空気吸引孔の容積の差を大きくすることができる。但し、ローターの円形面の直径の差が大きくなれば、ローター付近でフィルム面の傾斜が大きくなり、フィルム上に傷や帯電を発生させるもととなる。そのため、ローターの円形面の直径比率（フィルム幅方向端部側の円形面の直径÷フィルム幅方向中央部側の円形面の直径）は、０．８以上１．０未満であることが好ましい。
【００２０】
本発明のフィルムのしわ伸ばし装置は、フィルムの傷の発生を防止する観点から、前記ローターの端部にＲ面があり、前記Ｒ面の曲率であるＲ値が、前記ローターの略円形面の直径の１／２０以上であることが好ましい。ここで、ローターの端部にＲ面があるとは、ローターの円形面とそれ以外の面の境目部分が曲面となっている状態をいう。また、Ｒ面の曲率であるＲ値とは、軸と平行であり、かつ軸と平行な平面でローターを切断して得られた断面における曲線部分の半径のうち、最も長さの大きいものをいう。Ｒ値は、曲がり具合の指標であり、曲がり具合が大きいほど大きくなる。Ｒ値がローターの略円形面の直径の１／２０以上であることにより、フィルム搬送時にローターと接触することによるフィルムの傷の発生を抑制することができる。
【００２１】
本発明のフィルムのしわ伸ばし装置の設置箇所は、本発明の効果を損なわない限り特に制限されないが、フィルムがロールやクリップに接していない工程でフィルムのしわが生じやすいことから、テンターとテンターの間や、テンターと巻き取り工程の間が好ましい。
【００２２】
本発明のフィルムの製造方法とは、本発明のフィルムのしわ伸ばし装置を用いることを特徴とする、フィルムの製造方法である。本発明のフィルムの製造方法により、製造工程におけるフィルムの傷や帯電の発生を抑制することができ、しわのない高品質なフィルムを得ることができる。
【００２３】
次に、本発明のフィルムのしわ伸ばし装置の具体例について図面を用いて説明するが、本発明はこれに限定されるものではない。
【００２４】
図１は、本発明のフィルムのしわ伸ばし装置をフィルム幅方向両端に配置した一例を示す平面図である。しわ伸ばし装置１は、多数の空気吸引孔２ａが形成された円筒状のローター２を備えており、空気吸引孔２ａから空気を吸引することにより、フィルム幅方向端部に形成されるしわを伸ばす。しわ伸ばし装置１は、搬送中のフィルム６の上側または下側のいずれに配置してもよいが、フィルム６の重力によるたわみを適度に補正することを考慮すると、搬送中のフィルム６の下側に配置するのが好ましい。
【００２５】
次いで、本発明のフィルムのしわ伸ばし装置の一例を説明するための図１におけるＩ−Ｉ断面矢視図（図２）、本発明のフィルムのしわ伸ばし装置の一例を説明するための図１におけるＩＩ−ＩＩ断面矢視図（図３）を用いて、本発明のフィルムのしわ伸ばし装置１の構造の具体例を説明する。
【００２６】
しわ伸ばし装置１は、ローター２、ローター支持体３、フレーム４、及び負圧室５を有する。ローター２は、円柱形状であり、内部が空洞であり、フィルム幅方向中央側に行くほど肉厚が大きく、円形面以外の面に多数の空気吸引孔２ａを形成している。ローター２は後述のローター支持体３の軸部３ａ以外を覆うように設置されており、フィルム６の搬送に従って自由に回転することができる構造となっている。空気吸引孔２ａの孔径（直径）は、１ｍｍ以上５ｍｍ以下が好ましい。
【００２７】
ローター支持体３は、ローター２の内部の空洞にフィットする形状をした部分（以下、胴体部分）と、その両端にあり、ローターが回転する際の軸となる軸部３ａから形成される。ローター支持体３の胴体部分には、空気が通るための貫通孔（負圧導入通路３ｄ）が形成されており、貫通孔のフィルム６搬送側部分（負圧作用口３ｂ）は、軸と平行な方向に細長いスリット状であり、貫通孔の負圧室５側（負圧導入口３ｃ）は、負圧室５の入口の形状に合わせて適宜変更可能であるが、ここでは、負圧作用口３ｂに比べて軸と平行な方向の長さは短く、その方向に直交する方向の長さは長い略長方形状である（図４〜図６）。なお、ローター支持体３は、フレーム４によって固定されているため、それ自体は回転しない。
【００２８】
フレーム４は、ローター支持体３を固定するものであり、その下部には図示しない負圧源に接続された負圧室５が一体に形成されている。
【００２９】
図３に示すように、図示しない負圧源に接続された負圧室５は、ローター２の空気吸引孔２ａを介して負圧導入口３ｃに連通しており、負圧導入口３ｃは負圧導入通路３ｄを経て負圧作用口３ｂに連通している。従って、負圧作用口３ｂと接する空気吸引孔２ａを介して負圧が外部に作用し、当該空気吸引孔２ａに近接させられたフィルム６が負圧により吸引される。
【００３０】
フィルム６は一定方向に搬送させられているため、フィルム６がローター２の空気吸引孔２ａより吸引されると、フィルム６とローター２が密着してローター２がフィルム搬送方向に回転する。その結果、フィルム６に引張力が作用させられ、しわの矯正が行われる。
【００３１】
ローター２の回転に伴って負圧作用口３ｂと接する空気吸引孔２ａが順次切り換えられるとともに、負圧導入口３ｃと接する空気吸引孔２ａも順次切り換えられるため、負圧室５の負圧が途切れることなく、負圧導入通路３ｄ内に導かれ、ローター２の空気吸引孔２ａから途切れることなくフィルム６を吸引することができる。その結果、ローター２の回転が途切れることなく続き、継続してフィルム６のしわ伸ばし効果を得ることが可能となる。
【００３２】
また、フィルム６の搬送に従ってローター２が回転することにより、搬送しているフィルム６としわ伸ばし装置１の摩擦が軽減されるため、フィルム６の傷の発生を抑えることも可能となる。
【符号の説明】
【００３３】
１    しわ伸ばし装置
２    ローター
２ａ  空気吸引孔
３    ローター支持体
３ａ  軸部
３ｂ  負圧作用口
３ｃ  負圧導入口
３ｄ  負圧導入通路
４    フレーム
５    負圧室
６    フィルム
【図１】
2016185840.tif 000003
【図２】
2016185840.tif 000004
【図３】
2016185840.tif 000005
【図４】
2016185840.tif 000006
【図５】
2016185840.tif 000007
【図６】
2016185840.tif 000008